(57)【特許請求の範囲】
【請求項１】
ＬＣ共振器を構成するインダクタ電極およびコンデンサ電極、並びに、入力端子に接続される入力引出し電極、出力端子に接続される出力引出し電極、および接地用コンデンサ電極と、誘電体シートを用いて形成された積層体を有する積層型ＬＣフィルタであって、
前記インダクタ電極は、前記入力引出し電極に接続される第１のインダクタ電極と、前記出力引出し電極に接続される第２のインダクタ電極と、前記第１のインダクタ電極と前記第２のインダクタ電極に接続される第３のインダクタ電極とを備え、
前記第３のインダクタ電極は、前記接地用コンデンサ電極を介して接地され、
前記第１および第２のインダクタ電極は、前記第３のインダクタ電極と前記接地用コンデンサ電極とを介して接地され、
かつ、前記誘電体シートの積み重ね方向から見て、前記第３のインダクタ電極の両側に前記第１および第２のインダクタ電極が配置されることにより、前記第１、第２、および第３のインダクタ電極が略Ｅ字状に形成されていることを特徴とする積層型ＬＣフィルタ。
【請求項２】
前記第１、第２、および第３のインダクタ電極は、それぞれが前記誘電体シートの端部に露出しないことを特徴とする請求項１に記載の積層型ＬＣフィルタ。
【請求項３】
前記第１、第２、および第３のインダクタ電極は、同じ誘電体シート上に形成されることを特徴とする請求項１または請求項２に記載の積層型ＬＣフィルタ。
【請求項４】
前記第１、第２、および第３のインダクタ電極は、それぞれが前記誘電体シートの積み重ね方向に連接されたビアホールにより構成されるとともに、それぞれが接続電極を介して接続されることを特徴とする請求項１または請求項２に記載の積層型ＬＣフィルタ。
【請求項５】
前記第３のインダクタ電極は、前記第１および第２のインダクタ電極とは異なる誘電体シート上に形成されるとともに、前記積層体の側面に設けられた中継電極を介して、前記第１および第２のインダクタ電極と接続されることを特徴とする請求項１に記載の積層型ＬＣフィルタ。
【請求項６】
前記第１、第２、および第３のインダクタ電極は、それぞれが別の誘電体シート上に形成されるとともに、前記積層体の側面に設けられた中継電極を介して、互いに接続されることを特徴とする請求項５に記載の積層型ＬＣフィルタ。
【請求項７】
前記第１および第３のインダクタ電極は、同じ誘電体シート上に形成されるとともに、前記積層体の側面に設けられた中継電極を介して、前記第３のインダクタ電極と接続されることを特徴とする請求項５に記載の積層型ＬＣフィルタ。
【発明の詳細な説明】
【０００１】
【発明の属する技術分野】
本発明は、積層型ＬＣフィルタに関するものである。
【０００２】
【従来の技術】
従来より、携帯電話機などに用いられるフィルタとして、積層型ＬＣフィルタが知られている。積層型ＬＣフィルタは、ＬＣ共振器を構成するインダクタ電極やコンデンサ電極を誘電体シートを介して積層してなるチップ型電子部品であり、小型化に適しているという特徴がある。
【０００３】
この種の積層型ＬＣフィルタの一例を図１１〜図１４に示す。図１１は従来の積層型ＬＣフィルタの分解斜視図、図１２は同外観斜視図、図１３は同等価回路図、図１４は同周波数特性図である。
【０００４】
図１１に示すように、積層型ＬＣフィルタ１０は、外層となる誘電体シート１と、グランド内部電極２ａを表面に形成した誘電体シート２と、厚み調整用の誘電体シート３と、共振用コンデンサ電極４ａ，４ｂをそれぞれ表面に形成した誘電体シート４と、インダクタ電極５ａ，５ｂ、並びに入力引出し電極５ｃおよび出力引出し電極５ｄをそれぞれ表面に形成した誘電体シート５と、結合コンデンサ電極６ａを表面に形成した誘電体シート６と、厚み調整用の誘電体シート７と、グランド内部電極８ａを表面に形成した誘電体シート８と、外層となる誘電体シート９とをこの順に積層したものからなる。
【０００５】
各内部電極は、Ａｇ，Ｐｄ，Ｃｕ，Ｎｉ，Ａｕ，Ａｇ−Ｐｄ等からなり、印刷、スパッタリングあるいは蒸着等の手段により形成される。また、誘電体シート１〜９は、誘電体粉末を結合剤等と一緒に混錬したものをシート状に形成したものが用いられる。
【０００６】
グランド内部電極２ａは、誘電体シート２の左右端部を除く略表面全面に形成され、その一端部２ａ1が誘電体シート２の手前側の辺に露出し、他端部２ａ2がその奥側の辺に露出している。
【０００７】
誘電体層３は、インダクタ電極５ａ，５ｂとグランド内部電極２ａとの電磁気的干渉を抑えるための厚み調整用シートである。この誘電体層３は他の誘電体シートよりも厚く形成される。なお、誘電体３は、１枚の誘電体シートで所望の厚みに構成してもよいし、複数枚の誘電体シートを重ねて所望の厚みに構成してもよい。
【０００８】
共振用コンデンサ電極４ａは、誘電体シート４の左寄りの位置に矩形状に設けられ、その一端部４ａ1が誘電体シート４の奥側の辺に露出している。同様にして、共振用コンデンサ電極４ｂは、誘電体シート４の右寄りの位置に設けられ、その一端部４ｂ1が誘電体シート４の奥側の辺に露出している。
【０００９】
インダクタ電極５ａは、誘電体シート５の左寄りの位置に帯状に設けられ、その一端部５ａ1が誘電体シート５の手前側の辺に露出するとともに、誘電体シート５を介して共振用コンデンサ電極４ａと対向している。同様にして、インダクタ電極５ｂは、誘電体シート５の右寄りの位置に帯状に設けられ、その一端部５ｂ1が誘電体シート５の手前側の辺に露出するとともに、誘電体シート５を介して共振用コンデンサ電極４ｂと対向している。
【００１０】
入力引出し電極５ｃは、その一端部５ｃ1が誘電体シート５の左側の辺に露出し、その他端部５ｃ2がインダクタ電極５ａのほぼ中央部に接続されている。同様にして、出力引出し電極５ｄは、その一端部５ｄ1が誘電体シート５の右側の辺に露出し、その他端部５ｄ2がインダクタ電極５ｂののほぼ中央部に接続されている。
【００１１】
結合コンデンサ電極６ａは、誘電体シート６の奥側の左右方向に長辺を有する帯状であり、その一端部６ａ1が、誘電体シート６を介してインダクタ電極５ａと対向するとともに、その他端部６ａ2が、誘電体シート６を介してインダクタ電極５ｂと対向している。
【００１２】
誘電体層７は、インダクタ電極５ａ，５ｂおよび結合用コンデンサ電極６ａとグランド内部電極８ａとの電磁気的干渉を抑えるための厚み調整用シートである。この誘電体層７は他の誘電体シートよりも厚く形成される。なお、誘電体シート７は、１枚の誘電体シートで所望の厚みに形成してもよいし、複数枚の誘電体シートを重ねて所望の厚みに形成してもよい。
【００１３】
グランド内部電極８ａは、誘電体シート８の左右端部を除く略表面全面に形成され、その一端部８ａ1が誘電体シート８の手前側の辺に露出し、他端部８ａ2がその奥側の辺に露出している。
【００１４】
以上の構成からなる各誘電体シートは、この順に積み重ねられた後、一体的に焼成されて積層体とされる。
【００１５】
次に、図１２に示すように、得られた積層体の手前側および奥側の側面にそれぞれグランド外部電極１１ａ，１１ｂが形成される（上面および下面への回り込み部にも形成される）。積層体の左側の側面および右側の側面には、それぞれ入力外部電極１２ａおよび出力外部電極１２ｂが形成される。各外部電極は、塗布、焼付け、スパッタリングあるいは蒸着等の手段により形成される。そして、グランド外部電極１１ａには、グランド内部電極２ａの一端部２ａ1、インダクタ電極５ａ，５ｂの一端部５ａ1，５ｂ1、およびグランド内部電極８ａの一端部８ａ1が接続され、グランド外部電極１１ｂには、グランド内部電極２ａの他端部２ａ2、共振用コンデンサ電極４ａ，４ｂの一端部４ａ1，４ｂ1、およびグランド内部電極８ａの他端部８ａ2が接続される。
【００１６】
また、入力外部電極１２ａには、入力引出し電極５ａの一端部５ａ1が接続され、出力外部電極１２ｂには、出力引出し電極５ｂの一端部５ｂ1が接続される。
【００１７】
以上に説明した積層型ＬＣフィルタ１０は、図１３に示すようなバンドパスフィルタの等価回路を構成する。すなわち、インダクタ電極５ａが有するインダクタンスＬ1と、共振用コンデンサ電極４ａとインダクタ電極５ａとの間に形成される容量Ｃ1とが入力端子とアース端子との間に接続され、入力側のＬＣ並列共振回路Ｑ1を構成する。同様にして、インダクタ電極５ｂが有するインダクタンスＬ2と、共振用コンデンサ電極４ｂとインダクタ電極５ｂとの間に形成される容量Ｃ2とが出力端子とアース端子との間に接続され、出力側のＬＣ並列共振回路Ｑ2を構成する。そして、インダクタンスＬ1とインダクタンスＬ2との間には、相互インダクタンスＭが形成され、ＬＣ並列共振回路Ｑ1およびＱ2が磁気的に結合される。
【００１８】
また、インダクタ電極５ａと結合コンデンサ電極６ａとの間、およびインダクタ電極５ｂと結合コンデンサ電極６ａとの間にそれぞれ形成される静電容量が、入力端子と出力端子との間に接続され、ＬＣ並列共振回路Ｑ1およびＱ2を容量結合させる結合コンデンサＣｓを構成している。
【００１９】
ところで、図１１に示した積層型ＬＣフィルタ１０は、インダクタ電極５ｃ，５ｄから入出力引出し電極を直接取り出している。よって、図１４の周波数特性図における伝送波形（曲線ａ）のように、中心周波数の低周波側に１つの減衰極（ポール）しか形成することができない。
【００２０】
また、他の従来例として、図１５〜図１７に示すような積層型ＬＣフィルタ１０がある。
【００２１】
図１５は積層型ＬＣフィルタの分解斜視図、図１６は同等価回路図、図１７は同周波数特性図であり、先の図１１，図１３，図１４と同様のものである。したがって、それらと同様の部分には同様の参照番号を付し、説明を省略する。
【００２２】
この従来例では、インダクタ電極１３ａは、誘電体シート１３の左寄りの位置に帯状に設けられ、その一端部１３ａ1が誘電体シート１３の手前側の辺に露出するとともに、誘電体シート１３を介して共振用コンデンサ電極４ａと対向している。同様にして、インダクタ電極１３ｂは、誘電体シート１３の右寄りの位置に帯状に設けられ、その一端部１３ｂ1が誘電体シート１３の手前側の辺に露出するとともに、誘電体シート１３を介して共振用コンデンサ電極４ｂと対向している。
【００２３】
入力引出し電極１４ａは、その一端部１４ａ1が誘電体シート１４の左側の辺に露出するとともに、一端部１４ａ1よりも幅広の他端部１４ａ2が、誘電体シート１４を介してインダクタ電極１３ａと対向している。同様にして、出力引出し電極１４ｂは、その一端部１４ｂ1が誘電体シート１４の右側の辺に露出するとともに、一端部１４ｂ1よりも幅広の他端部１４ｂ2が、誘電体シート１４を介してインダクタ電極１３ｂと対向している。
【００２４】
結合コンデンサ電極１４ｃは、誘電体シート１４の奥側の左右方向に長辺を有する帯状であり、誘電体シート１４を介してインダクタ電極１３ａ，１３ｂと対向している。
【００２５】
入出力間コンデンサ電極１５ａは、誘電体シート１５の中央部の左右方向に長辺を有する帯状であり、入力引出し電極１４ａおよび出力引出し電極１４ｂと対向している。
【００２６】
得られた積層体の手前側および奥側の側面にそれぞれグランド外部電極（１１ａ，１１ｂ：図１２参照）が形成される。また、積層体の左側の側面および右側の側面にそれぞれ入力外部電極（１２ａ）および出力外部電極（１２ｂ）が形成される。そして、グランド外部電極（１１ａ）には、グランド内部電極２ａの一端部２ａ1、インダクタ電極１３ａ，１３ｂの一端部１３ａ1，１３ｂ1、およびグランド内部電極８ａの一端部８ａ1が接続され、グランド外部電極（１１ｂ）には、グランド内部電極２ａの他端部２ａ2、共振用コンデンサ電極４ａ，４ｂの一端部４ａ1，４ｂ1、およびグランド内部電極８ａの他端部８ａ2が接続される。
【００２７】
また、入力外部電極（１２ａ）には、入力引出し電極１４ａの一端部１４ａ1が接続され、出力外部電極（１２ｂ）には、出力引出し電極１４ｂの一端部１４ｂ1が接続される。
【００２８】
以上に説明した積層型ＬＣフィルタ１０は、図１６に示すようなバンドパスフィルタの等価回路を構成する。すなわち、インダクタ電極１３ａが有するインダクタンスＬ1と、共振用コンデンサ電極４ａとインダクタ電極１３ａとの間に形成される容量Ｃ1とが入力端子とアース端子との間に接続され、入力側のＬＣ並列共振回路Ｑ1を構成する。同様にして、インダクタ電極１３ｂが有するインダクタンスＬ2と、共振用コンデンサ電極４ｂとインダクタ電極１３ｂとの間に形成される容量Ｃ2とが出力端子とアース端子との間に接続され、出力側のＬＣ並列共振回路Ｑ2を構成する。そして、インダクタンスＬ1とインダクタンスＬ2との間には、相互インダクタンスＭが形成され、ＬＣ並列共振回路Ｑ1およびＱ2が磁気的に結合される。
【００２９】
また、インダクタ電極１３ａと結合コンデンサ電極１４ｃとの間、およびインダクタ電極１３ｂと結合コンデンサ電極１４ｃとの間にそれぞれ形成される静電容量が、入力端子と出力端子との間に接続され、ＬＣ並列共振回路Ｑ1およびＱ2を容量結合させる結合コンデンサＣｓを構成している。
【００３０】
また、入力引出し電極１４ａの他端部１４ａ2とインダクタ電極１３ａとの間で形成される静電容量が、入力端子と容量Ｃ1との間に接続され、入力調整容量Ｃｉを構成している。同様にして、出力引出し電極１４ｂの他端部１４ｂ2とインダクタ電極１３ｂとの間で形成される静電容量が、出力端子と容量Ｃ2との間に直列に接続され、出力調整容量Ｃｏを構成している。
【００３１】
さらに、入力引出し電極１４ａの他端部１４ａ2と入出力間コンデンサ１５ａとの間、および出力引出し電極１４ｂの他端部１４ｂ2と入出力間コンデンサ１５ａとの間で形成される静電容量が、入力端子と出力端子との間に接続され、入出力間容量Ｃｉｏを構成している。
【００３２】
以上のような構成により、図１５に示した積層型ＬＣフィルタ１０は、図１７に示すように、中心周波数の低周波側に２つの減衰極を形成することができる。
【００３３】
【発明が解決しようとする課題】
しかしながら、図１５のような積層型ＬＣフィルタでは、中心周波数の低周波側に減衰極を２つ形成することはできるが、入出力端子とＬＣ並列共振回路との間にコンデンサＣｉ，Ｃｏを挟んでいるため、これによる損失が大きくなる。また、入出力引出し電極とインダクタ電極との間で入出力調整容量Ｃｉ，Ｃｏを形成する場合、他の回路との複合化の際にインピーダンスマッチングを取るのが困難となる。
【００３４】
それゆえに、本発明の主たる目的は、挿入損失を低減するとともに、中心周波数の低周波側に２つの減衰極を作ることが可能な積層型ＬＣフィルタを提供することにある。
【００３５】
【課題を解決するための手段】
本発明の積層型ＬＣフィルタは、ＬＣ共振器を構成するインダクタ電極およびコンデンサ電極、並びに、入力端子に接続される入力引出し電極、出力端子に接続される出力引出し電極、および接地用コンデンサ電極と、誘電体シートを用いて形成された積層体を有する積層型ＬＣフィルタであって、インダクタ電極は、入力引出し電極に接続される第１のインダクタ電極と、出力引出し電極に接続される第２のインダクタ電極と、第１のインダクタ電極と第２のインダクタ電極に接続される第３のインダクタ電極とを備え、第３のインダクタ電極は、接地用コンデンサ電極を介して接地され、第１および第２のインダクタ電極は、第３のインダクタ電極と接地用コンデンサ電極とを介して接地され、かつ、誘電体シートの積み重ね方向から見て、第３のインダクタ電極の両側に第１および第２のインダクタ電極が配置されることにより、第１、第２、および第３のインダクタが略Ｅ字状に形成されていることを特徴とする。
【００３６】
ＬＣ共振器を構成する第１のインダクタ電極および第２のインダクタ電極が第３のインダクタ電極に接続され、かつ、その第３のインダクタ電極が接地用コンデンサ電極を介して接地されることにより、従来のように、インダクタ電極と入出力引出し電極を直接接続しても、中心周波数の低周波側に減衰極を２つ形成することができる。
【００３７】
また、本発明の積層型ＬＣフィルタにおいては、第１、第２、および第３のインダクタ電極は、それぞれが誘電体シートの端部に露出しないことを特徴とする。
【００３８】
第１、第２、および第３のインダクタ電極を直接グランド外部電極に接続しないので、誘電体シートを積層する際の積みずれによるカット寸法ずれや、マザー積層体から個々の積層体にカットする際のカットずれ等が誘電体シートの端部（誘電体シートの辺）において生じても、誘電体シートと同時にインダクタ電極もカットされることがないので、インダクタ電極の寸法も変化することがない。したがって、インダクタ電極のインダクタンスが変化して、所望の特性からずれたり、チップ毎あるいはロット毎にばらつきが大きくなってしまうことを防止することができる。
【００３９】
また、本発明の積層型ＬＣフィルタにおいては、第１、第２、および第３のインダクタ電極は、同じ誘電体シート上に形成されるとともに、誘電体シートの中央部に第３のインダクタ電極が配置され、第３のインダクタ電極の両側に第１および第２のインダクタ電極が配置されることにより、略Ｅ字状または略Ｙ字状に形成されることを特徴とする。
【００４０】
インダクタ電極を略Ｅ字状に形成した場合には、中央の第３のインダクタ電極の長さに対する設計自由度が大きく、第３のインダクタ電極のインダクタンスや、第３のインダクタ電極と対向する接地用コンデンサ電極との静電容量が調整し易い。よって、中心周波数や減衰極の位置の調整が容易にできる。
【００４１】
さらに、インダクタ電極を略Ｙ字状に形成した場合には、中央の第３のインダクタ電極の幅に対する設計自由度が大きく、第３のインダクタ電極のインダクタンスや、第３のインダクタ電極と対向する接地用コンデンサ電極との静電容量が調整し易い。よって、中心周波数や減衰極の位置の調整が容易にできる。
【００４２】
また、本発明の積層型ＬＣフィルタにおいては、第１、第２、および第３のインダクタ電極は、それぞれが誘電体シートの積み重ね方向に連接されたビアホールにより構成されるとともに、それぞれが接続電極を介して接続されることを特徴とする。
【００４３】
インダクタ電極を誘電体シートの積み重ね方向に形成することによって、インダクタにより発生する磁界成分は、誘電体シートの積み重ね方向に直交する方向（誘電体シートの平面方向）に広がる。よって、グランド内部電極やコンデンサ電極等により、磁界が遮られることを防止することができ、非常に高いＱ特性を有するＬＣ共振器を構成することができる。
【００４４】
また、本発明の積層型ＬＣフィルタにおいては、第１、第２、第３のインダクタ電極、および接続電極は、積層体の側面から透視して、積層体の中央部に第３のインダクタ電極が配置され、第３のインダクタ電極の両側に第１および第２のインダクタ電極が配置されることにより、略Ｅ字状または略Ｙ字状に形成されることを特徴とする。
【００４５】
インダクタ電極を誘電体シートの積み重ね方向に形成し、かつ、積層体の側面から透視して、インダクタ電極および接続電極を全体として略Ｅ字状に形成した場合には、中央の第３のインダクタ電極の長さ（連接するビアホールの個数）に対する設計自由度が大きく、第３のインダクタ電極のインダクタンスや、第３のインダクタ電極と対向する接地用コンデンサ電極との静電容量が調整し易い。よって、中心周波数や減衰極の位置の調整が容易にできる。
【００４６】
さらに、インダクタ電極および接続電極を全体として略Ｙ字状に形成した場合には、中央の第３のインダクタ電極の幅（ビアホールの径）に対する設計自由度が大きく、第３のインダクタ電極のインダクタンスや、第３のインダクタ電極と対向する接地用コンデンサ電極との静電容量が調整し易い。よって、中心周波数や減衰極の位置の調整が容易にできる。
【００４７】
また、本発明の積層型ＬＣフィルタにおいては、第３のインダクタ電極は、第１および第２のインダクタ電極とは異なる誘電体シート上に形成されるとともに、積層体の側面に設けられた中継電極を介して、第１および第２のインダクタ電極と接続されることを特徴とする。
【００４８】
第３のインダクタ電極を、第１および第２のインダクタ電極とは異なる誘電体シート上に形成することにより、第３のインダクタ電極の長さに対する設計自由度が大きく、第３のインダクタ電極のインダクタンスや、第３のインダクタ電極と対向する接地用コンデンサ電極との静電容量が調整し易い。よって、中心周波数や減衰極の位置の調整が容易にできる。
【００４９】
また、第３のインダクタ電極を、積層体の側面に設けられた中継電極を介して、第１および第２のインダクタ電極と接続することにより、第３のインダクタ電極の配置を自由に設定し易く、第１および第２のインダクタ電極と第３のインダクタ電極との電磁気的干渉を低減できる。よって、中心周波数や減衰極の位置の調整が容易にできる。
【００５０】
また、本発明の積層型ＬＣフィルタにおいては、第１、第２、および第３のインダクタ電極は、それぞれが別の誘電体シート上に形成されるとともに、積層体の側面に設けられた中継電極を介して、互いに接続されることを特徴とする。
【００５１】
第１、第２、および第３のインダクタ電極を、それぞれ異なる誘電体シート上に形成することにより、それぞれのインダクタ電極の長さおよび幅に対する設計自由度が大きく、第１および第２のインダクタ電極の設計がし易くなるとともに、第３のインダクタ電極のインダクタンスや、第３のインダクタ電極と対向する接地用コンデンサ電極との静電容量が調整し易い。よって、ＬＣ共振器の磁気結合の調整および中心周波数や減衰極の位置の調整が容易にできる。
【００５２】
また、本発明の積層型ＬＣフィルタにおいては、第１および第２のインダクタ電極は、同じ誘電体シート上に形成されるとともに、積層体の側面に設けられた中継電極を介して、第３のインダクタ電極と接続されることを特徴とする。
【００５３】
第１および第２のインダクタ電極を誘電体シートの両側に配置し、かつ、中間部から誘電体シートの端部に露出することによって、それぞれのインダクタ電極の長さおよび幅に対する設計自由度が大きく、第１および第２のインダクタ電極の設計がし易くなる。よって、ＬＣ共振器の磁気結合の調整が容易にできる。
【００５４】
【発明の実施の形態】
次に、本発明の積層型ＬＣフィルタの一実施形態について説明する。
［第１の実施形態，図１〜図３］
図１は本発明に係る積層型ＬＣフィルタの第１の実施形態を示す分解斜視図、図２は同等価回路図、図３は同周波数特性を示す図である。
【００５５】
図１に示すように、積層型ＬＣフィルタ１０は、外層となる誘電体シート１と、グランド内部電極２ａを表面に形成した誘電体シート２と、厚み調整用の誘電体シート３と、接地用コンデンサ電極１６ａを表面に形成した誘電体シート１６と、第１のインダクタ電極１７ａ，第２のインダクタ電極１７ｂ、および第３のインダクタ電極１７ｃ、並びに入力引出し電極１７ｄおよび出力引出し電極１７ｅをそれぞれ表面に形成した誘電体シート１７と、接地用コンデンサ電極１８ａを表面に形成した誘電体シート１８と、共振用コンデンサ電極１９ａを表面に形成した誘電体シート１９と、接地用コンデンサ電極２０ａを表面に形成した誘電体シート２０と、第１のインダクタ電極２１ａ，第２のインダクタ電極２１ｂ、および第３のインダクタ電極２１ｃ、並びに入力引出し電極２１ｄおよび出力引出し電極２１ｅをそれぞれ表面に形成した誘電体シート２１と、接地用コンデンサ電極２２ａを表面に形成した誘電体シート２２と、厚み調整用の誘電体シート７と、グランド内部電極８ａを表面に形成した誘電体シート８と、外層となる誘電体シート９とをこの順に積層したものからなる。
【００５６】
各内部電極は、Ａｇ，Ｐｄ，Ｃｕ，Ｎｉ，Ａｕ，Ａｇ−Ｐｄ等からなり、印刷、スパッタリングあるいは蒸着等の手段により形成される。また、誘電体シート１〜９は、誘電体粉末を結合剤等と一緒に混錬したものをシート状に形成したものが用いられる。
【００５７】
グランド内部電極２ａは、誘電体シート２の左右端部を除く略表面全面に設けられ、その一端部２ａ1が誘電体シート２の手前側の辺に露出し、他端部２ａ2がその奥側の辺に露出している。
【００５８】
誘電体シート３は、第１、第２、および第３のインダクタ電極１７ａ，１７ｂ，１７ｃとグランド内部電極２ａとの電磁気的干渉を抑えるための厚み調整用シートである。この誘電体シート３は、他の誘電体シートよりも厚く形成される。なお、誘電体シート３は、１枚で所望の厚みに構成してもよいし、複数枚の誘電体シートを重ねて所望の厚みに構成してもよい。
【００５９】
接地用コンデンサ電極１６ａは、誘電体シート１６の中央部奥側に矩形状に設けられ、その一端部１６ａ1が誘電体シート１６の奥側の辺に露出している。
【００６０】
第１のインダクタ電極１７ａは、誘電体シート１７の左側の位置に前後方向に帯状に設けられ、その中間部１７ａ1が、一端部１７ｄ1が誘電体シート１７の左側の辺に露出する入力引出し電極１７ｄの他端部１７ｄ2と接続されるとともに、その一端部１７ａ2が第３のインダクタ電極１７ｃの左側の一端部１７ｃ1と接続される。
【００６１】
同様にして、第２のインダクタ電極１７ｂは、誘電体シート１７の右側の位置に前後方向に帯状に設けられ、その中間部１７ｂ1が、一端部１７ｅ1が誘電体シート１７の右側の辺に露出する入力引出し電極１７ｅの他端部１７ｅ2と接続されるとともに、その一端部１７ｂ2が第３のインダクタ電極１７ｃの右側の一端部１７ｃ2と接続される。
【００６２】
第３のインダクタ電極１７ｃは、誘電体シート１７の中央部に前後方向に略逆Ｔ字状に設けられ、前述のように、左側の一端部１７ｃ1が第１のインダクタ電極１７ａの一端部１７ａ2と接続されるとともに、右側の一端部１７ｃ2が第２のインダクタ電極１７ｂの一端部１７ｂ2と接続される。また、その他端部１７ｃ3は、誘電体シート１７を介して接地用コンデンサ電極１６ａと対向している。
【００６３】
ここで、第１、第２、および第３のインダクタ電極１７ａ，１７ｂ，１７ｃは、同じ誘電体シート１７上に設けられるとともに、矩形状の誘電体シート１７の両側に第１および第２のインダクタ電極が配置され、その中央部に第３のインダクタ電極が配置されることにより、誘電体シート１７上で略Ｅ字状のインダクタ電極に形成される。
【００６４】
このように、インダクタ電極を全体として略Ｅ字状に形成した場合には、中央の第３のインダクタ電極１７ｃの長さに対する設計自由度が大きい。よって、第３のインダクタ電極１７ｃのインダクタンスや、第３のインダクタ電極１７ｃと対向する接地用コンデンサ電極１６ａおよび１８ａとの静電容量が調整し易い。
【００６５】
接地用コンデンサ電極１８ａは、誘電体シート１８の中央部奥側に矩形状に設けられ、その一端部１８ａ1が誘電体シート１８の奥側の辺に露出し、誘電体シート１８を介して第３のインダクタ電極１７ｃと対向している。
【００６６】
共振用コンデンサ電極１９ａは、誘電体シート１９の中央部の奥側に略コの字状に設けられ、その一端部１９ａ1が、誘電体シート１８および１９を介して第１のインダクタ電極１７ａと対向するとともに、その他端部１９ａ2は、誘電体シート１８および１９を介して第２のインダクタ電極１７ｂと対向している。また、その中間部１９ａ3は、誘電体シート１９を介して接地用コンデンサ電極１８ａと対向している。
【００６７】
接地用コンデンサ電極２０ａは、誘電体シート２０の中央部奥側に矩形状に設けられ、その一端部２０ａ1が誘電体シート２０の奥側の辺に露出し、誘電体シート２０を介して共振用コンデンサ電極１９ａの中間部１９ａ3と対向している。
【００６８】
第１のインダクタ電極２１ａは、誘電体シート２１の左側の位置に前後方向に帯状に設けられ、その中間部２１ａ1が、一端部２１ｄ1が誘電体シート２１の左側の辺に露出する入力引出し電極２１ｄの他端部２１ｄ2と接続され、その一端部２１ａ2が第３のインダクタ電極２１ｃの左側の一端部２１ｃ1と接続されるとともに、誘電体シート２０および２１を介して共振用コンデンサ電極１９ａの一端部１９ａ1と対向している。
【００６９】
同様にして、第２のインダクタ電極２１ｂは、誘電体シート２１の右側の位置に前後方向に帯状に設けられ、その中間部２１ｂ1が、一端部２１ｅ1が誘電体シート２１の右側の辺に露出する出力引出し電極２１ｅの他端部２１ｅ2と接続され、一端部２１ｂ2が第３のインダクタ電極２１ｃの右側の一端部２１ｃ2と接続されるとともに、誘電体シート２０および２１を介して共振用コンデンサ電極１９ａの他端部１９ａ2と対向している。
【００７０】
第３のインダクタ電極２１ｃは、誘電体シート２１の中央部に前後方向に略逆Ｔ字状に設けられ、前述のように、左側の一端部２１ｃ1が第１のインダクタ電極２１ａの一端部２１ａ2と接続されるとともに、右側の一端部２１ｃ2が第２のインダクタ電極２１ｂの一端部２１ｂ2と接続される。また、その他端部２１ｃ3は、誘電体シート２１を介して接地用コンデンサ電極２０ａと対向している。
【００７１】
ここで、第１、第２、および第３のインダクタ電極は、同じ誘電体シート２１上に設けられるとともに、矩形状の誘電体シート２１の両側に第１および第２のインダクタ電極が配置され、その中央部に第３のインダクタ電極が配置されることにより、誘電体シート２１上で略Ｅ字状に形成される。
【００７２】
このように、インダクタ電極を全体として略Ｅ字状に形成した場合には、中央部の第３のインダクタ電極２１ｃの長さに対する設計自由度が大きい。よって、第３のインダクタ電極２１ｃのインダクタンスや、第３のインダクタ電極２１ｃと対向する接地用コンデンサ電極２０ａおよび２２ａとの静電容量が調整し易い。
【００７３】
接地用コンデンサ電極２２ａは、誘電体シート２２の中央部奥側に矩形状に設けられ、その一端部２２ａ1は誘電体シート２２の奥側の辺に露出するとともに、誘電体シート２２を介して第３のインダクタ電極２１ｃの他端部２１ｃ3と対向している。
【００７４】
誘電体シート７は、インダクタ電極２１とグランド内部電極８ａとの電磁気的干渉を抑えるための厚み調整用シートである。この誘電体シート７は、他の誘電体シートよりも厚く形成される。なお、誘電体シート７は、１枚で所望の厚みに構成してもよいし、複数枚の誘電体シートを重ねて所望の厚みに構成してもよい。
【００７５】
グランド内部電極８ａは、誘電体シート８の左右端部を除く略表面全面に設けられており、その一端部８ａ1が誘電体シート８の手前側の辺に露出し、他端部８ａ2がその奥側の辺に露出している。
【００７６】
以上の構成からなる各誘電体シートは、この順に積み重ねられた後、一体的に焼成されて積層体とされる。
【００７７】
次に、図１２に示すように、得られた積層体の手前側および奥側の側面にそれぞれグランド外部電極１１ａ，１１ｂが形成される。また、積層体の左側の側面および右側の側面にそれぞれ入力外部電極１２ａおよび出力外部電極１２ｂが形成される。各外部電極は、塗布焼付け、スパッタリングあるいは蒸着等の手段により形成される。
【００７８】
そして、グランド外部電極１１ａには、グランド内部電極２ａの一端部２ａ1およびグランド内部電極８ａの一端部８ａ1が接続され、グランド外部電極１１ｂには、グランド内部電極２ａの他端部２ａ2、接地用コンデンサ電極１６ａ，１８ａ，２０ａ，２２ａの一端部１６ａ1，１８ａ1，２０ａ1，２２ａ1、およびグランド内部電極８ａの他端部８ａ2が接続される。
【００７９】
また、入力外部電極１２ａには、入力引出し電極１７ｄ，２１ｄの一端部１７ｄ1，２１ｄ1が接続され、出力外部電極１２ｂには、出力引出し電極１７ｅ，２１ｅの一端部１７ｅ1，２１ｅ1が接続される。
【００８０】
以上に説明した積層型ＬＣフィルタ１０は、図２に示すようなバンドパスフィルタの等価回路を構成する。すなわち、第１のインダクタ電極１７ａおよび２１ａが有するインダクタンスＬ1が、入力端子とインダクタンスＬ3との間に接続され、共振用コンデンサ電極１９ａと第１のインダクタ電極１７ａおよび２１ａとの間に形成される容量Ｃｓ1が、入力端子と並列コンデンサＣｇとの間に接続され、入力側のＬＣ並列共振回路Ｑ1を構成する。
【００８１】
同様にして、第２のインダクタ電極１７ｂおよび２１ｂが有するインダクタンスＬ2が、出力端子とインダクタンスＬ3との間に接続され、共振用コンデンサ電極１９ａとインダクタ電極１７ｂおよび２１ｂとの間に形成される容量Ｃｓ2が、出力端子と並列コンデンサＣｇとの間に接続され、出力側のＬＣ並列共振回路Ｑ2を構成する。そして、インダクタンスＬ1とインダクタンスＬ2との間には、相互インダクタンスＭが形成され、ＬＣ並列共振回路Ｑ1およびＱ2が磁気的に結合される。
【００８２】
また、共振用コンデンサ電極１９ａと接地用コンデンサ電極１８ａおよび２０ａとの間で形成される静電容量が、容量Ｃｓ1および容量Ｃｓ2とアース端子との間に接続され、並列コンデンサＣｇを構成している。
【００８３】
さらに、第３のインダクタ電極１７ｃおよび２１ｃが有するインダクタンスＬ3が、インダクタンスＬ1あるいはインダクタンスＬ2と接地コンデンサＣ1との間に接続されるとともに、第３のインダクタ電極１７ｃと接地用コンデンサ電極１６ａおよび１８ａとの間、および第３のインダクタ電極２１ｃと接地用コンデンサ電極２０ａおよび２２ａとの間で構成される接地コンデンサＣ1が、インダクタンスＬ3とアース端子との間に接続される。
【００８４】
図３は図１に示した積層型ＬＣフィルタ１０の周波数特性を示す図である。図３における曲線ａは伝送波形である。図３から明らかなように、第１の実施形態によれば、従来のように、インダクタ電極と入出力引出し電極を直接接続しても、中心周波数の低周波側に２つの減衰極を生成することができる。
【００８５】
なお、本実施形態では、第１、第２、および第３のインダクタ電極を、帯状の第１および第２のインダクタ電極と略逆Ｔ字状の第３のインダクタ電極とを組み合わせて、略Ｅ字状のインダクタ電極を構成するものとして説明しているが、インダクタ電極を形成する過程においては、第１、第２、および第３のインダクタ電極は、１つのパターン電極として印刷されるものであり（入出力引出し電極も同時に印刷される）、それぞれが上記のような形状で別々に印刷されるものではなく、便宜上、１つのインダクタ電極を機能的に３つのインダクタ電極に区分しているものである。よって、例えば、第１および第２のインダクタ電極を略Ｌ字状および略逆Ｌ字状とし、第３のインダクタ電極を帯状（直線状）とみなしても構わない。後述する他の実施形態についても同様である。
［第２の実施形態，図４］
図４は本発明に係る積層型ＬＣフィルタの第２の実施形態を示す分解斜視図である。
【００８６】
第２の実施形態において、特に第１の実施形態と異なる点は、誘電体シート２３〜２９上に形成された各内部電極の形状を変更したところにある。それ以外の第１の実施形態と同様の部分については説明は省略する。
【００８７】
図４に示すように、積層型ＬＣフィルタ１０は、外層となる誘電体シート１と、グランド内部電極２ａを表面に形成した誘電体シート２と、厚み調整用の誘電体シート３と、接地用コンデンサ電極２３ａを表面に形成した誘電体シート２３と、第１のインダクタ電極２４ａ，第２のインダクタ電極２４ｂ、および第３のインダクタ電極２４ｃ、並びに入力引出し電極２４ｄおよび出力引出し電極２４ｅをそれぞれ表面に形成した誘電体シート２４と、接地用コンデンサ電極２５ａおよび２５ｂをそれぞれ表面に形成した誘電体シート２５と、共振用コンデンサ電極２６ａを表面に形成した誘電体シート２６と、接地用コンデンサ電極２７ａおよび２７ｂをそれぞれ表面に形成した誘電体シート２７と、第１のインダクタ電極２８ａ，第２のインダクタ電極２８ｂ、および第３のインダクタ電極２８ｃ、並びに入力引出し電極２８ｄおよび出力引出し電極２８ｅをそれぞれ表面に形成した誘電体シート２８と、接地用コンデンサ電極２９ａを表面に形成した誘電体シート２９と、厚み調整用の誘電体シート７と、グランド内部電極８ａを表面に形成した誘電体シート８と、外層となる誘電体シート９とをこの順に積層したものからなる。
【００８８】
接地用コンデンサ電極２３ａは、誘電体シート２３の中央部手前側に矩形状に設けられ、その一端部２３ａ1が誘電体シート２３の手前側の辺に露出している。
【００８９】
第１のインダクタ電極２４ａは、誘電体シート２４の左側の位置に前後方向に帯状に設けられ、その中間部２４ａ1が、一端部２４ｄ1が誘電体シート２４の左側の辺に露出する入力引出し電極２４ｄの他端部２４ｄ2と接続されるとともに、その一端部２４ａ2が第３のインダクタ電極２４ｃの左側の一端部２４ｃ1と接続される。
【００９０】
同様にして、第２のインダクタ電極２４ｂは、誘電体シート２４の右側の位置に前後方向に帯状に設けられ、その中間部２４ｂ1が、一端部２４ｅ1が誘電体シート２４の右側の辺に露出する出力引出し電極２４ｅの他端部２４ｅ2と接続されるとともに、その一端部２４ｂ2が第３のインダクタ電極２４ｃの右側の一端部２４ｃ2と接続される。
【００９１】
第３のインダクタ電極２４ｃは、誘電体シート２４の中央部手前の位置に前後方向に略Ｔ字状に設けられ、前述のように、左側の一端部２４ｃ1が第１のインダクタ電極２４ａの一端部２４ａ2と接続されるとともに、右側の一端部２４ｃ2が第２のインダクタ電極２４ｂの一端部２４ｂ2と接続される。また、その他端部２４ｃ3は、誘電体シート２４を介して接地用コンデンサ電極２３ａと対向している。
【００９２】
ここで、第１、第２、および第３のインダクタ電極２４ａ，２４ｂ，２４ｃは、同じ誘電体シート２４上に設けられるとともに、矩形状の誘電体シート２４の両側に第１および第２のインダクタ電極２４ａ，２４ｂが配置され、その中央部に第３のインダクタ電極２４ｃが配置されることにより、誘電体シート２４上で略Ｙ字状に形成される。
【００９３】
このように、インダクタ電極を全体として略Ｙ字状に形成した場合には、中央部の第３のインダクタ電極の幅に対する設計自由度が大きい。よって、第３のインダクタ電極２４ｃのインダクタンスや、第３のインダクタ電極２４ｃと対向する接地用コンデンサ電極２３ａおよび２５ａとの静電容量が調整し易い。
【００９４】
接地用コンデンサ電極２５ａは、誘電体シート２５の中央部手前側に矩形状に設けられ、その一端部２５ａ1が誘電体シート２５の手前側の辺に露出するとともに、第３のインダクタ電極２４ｃと対向している。また、接地用コンデンサ電極２５ｂは、誘電体シート２５の中央部奥側に矩形状に設けられ、その一端部２５ｂ1は誘電体シート２５の奥側の辺に露出している。
【００９５】
共振用コンデンサ電極２６ａは、誘電体シート２６の中央部の奥側に略コの字状に設けられ、その一端部２６ａ1が第１のインダクタ電極２４ａと対向するとともに、その他端部２６ａ2が第２のインダクタ電極２４ｂと対向している。また、その中間部２６ａ3が接地用コンデンサ電極２５ｂと対向している。
【００９６】
接地用コンデンサ電極２７ａは、誘電体シート２７の中央部手前側に矩形状に設けられ、その一端部２７ａ1が誘電体シート２７の手前側の辺に露出するとともに、第３のインダクタ電極２８ｃの他端部２８ｃ3と対向している。また、接地用コンデンサ電極２７ｂは、誘電体シート２７の中央部奥側に矩形状に設けられ、その一端部２７ｂ1が誘電体シート２７の奥側の辺に露出するとともに、共振用コンデンサ電極２６ａの中間部２６ａ3と対向している。
【００９７】
第１のインダクタ電極２８ａは、誘電体シート２８の左側の位置に前後方向に帯状に設けられ、その中間部２８ａ1は、一端部２８ｄ1が誘電体シート２８の左側の辺に露出する入力引出し電極２８ｄの他端部２８ｄ2と接続されるとともに、その一端部２８ａ2は第３のインダクタ電極２８ｃの左側の一端部２８ｃ1と接続される。
【００９８】
同様にして、第２のインダクタ電極２８ｂは、誘電体シート２８の右側の位置に前後方向に帯状に設けられ、その中間部２８ｂ1は、一端部２８ｅ1が誘電体シート２８の右側の辺に露出する出力引出し電極２８ｅの他端部２８ｅ2と接続されるとともに、その一端部２８ｂ2は第３のインダクタ電極２８ｃの右側の一端部２８ｃ2と接続される。
【００９９】
第３のインダクタ電極２８ｃは、誘電体シート２８の中央部手前の位置に前後方向に略Ｔ字状に設けられ、前述のように、左側の一端部２８ｃ1が第１のインダクタ電極２８ａの一端部２８ａ2と接続されるとともに、右側の一端部２８ｃ2が第２のインダクタ電極２８ｂの一端部２８ｂ2と接続される。また、その他端部２８ｃ3は、接地用コンデンサ電極２７ａと対向している。
【０１００】
ここで、第１、第２、および第３のインダクタ電極２８ａ，２８ｂ，２８ｃは、同じ誘電体シート２８上に形成されるとともに、矩形状の誘電体シート２８の両側に第１および第２のインダクタ電極２８ａ，２８ｂが配置され、その中央部に第３のインダクタ電極２８ｃが配置されることにより、誘電体シート２８上で略Ｙ字状に形成される。
【０１０１】
このように、インダクタ電極を全体として略Ｙ字状に形成した場合には、中央部の第３のインダクタ電極２８ｃの幅に対する設計自由度が大きい。よって、第３のインダクタ電極２８ｃのインダクタンスや、第３のインダクタ電極２８ｃと対向する接地用コンデンサ電極２７ａおよび２９ａとの静電容量が調整し易い。
【０１０２】
接地用コンデンサ電極２９ａは、誘電体シート２９の中央部手前側に矩形状に設けられ、その一端部２９ａ1は誘電体シート２９の手前側の辺に露出するとともに、第３のインダクタ電極２８ｃの他端部２８ｃ3と対向している。
【０１０３】
以上の構成からなる各誘電体シートは、この順に積み重ねられた後、一体的に焼成されて積層体とされる。
【０１０４】
次に、図１２に示すように、得られた積層体の手前側および奥側の側面にそれぞれグランド外部電極１１ａ，１１ｂが形成される。また、積層体の左側の側面および右側の側面にそれぞれ入力外部電極１２ａおよび出力外部電極１２ｂが形成される。各外部電極は、塗布焼付け、スパッタリングあるいは蒸着等の手段により形成される。
【０１０５】
そして、グランド外部電極１１ａには、グランド内部電極２ａの一端部２ａ1、接地用コンデンサ電極２３ａ，２５ａ，２９ａの一端部２３ａ1、２５ａ1，２９ａ1、およびグランド内部電極８ａの一端部８ａ1が接続され、グランド外部電極１１ｂには、グランド内部電極２ａの他端部２ａ2、接地用コンデンサ電極２５ｂ，２７ｂの一端部２５ｂ1，２７ｂ1、およびグランド内部電極８ａの他端部８ａ2が接続される。
【０１０６】
また、入力外部電極１２ａには、入力引出し電極２４ｄ，２８ｄの一端部２４ｄ1，２８ｄ1が接続され、出力外部電極１２ｂには、出力引出し電極２４ｅ，２８ｅの一端部２４ｅ1，２８ｅ1が接続される。
【０１０７】
以上に説明した積層型ＬＣフィルタ１０は、図２に示すようなバンドパスフィルタの等価回路を構成する。すなわち、第１のインダクタ電極２４ａおよび２８ａが有するインダクタンスＬ1が、入力端子とインダクタンスＬ3との間に接続され、共振用コンデンサ電極２６ａと第１のインダクタ電極２４ａおよび２８ａとの間に形成される容量Ｃｓ1が、入力端子と並列コンデンサＣｇとの間に接続され、入力側のＬＣ並列共振回路Ｑ1を構成する。
【０１０８】
同様にして、第２のインダクタ電極２４ｂおよび２８ｂが有するインダクタンスＬ2が、出力端子とインダクタンスＬ3との間に接続され、共振用コンデンサ電極２６ａとインダクタ電極２４ｂおよび２８ｂとの間に形成される容量Ｃｓ2が、出力端子と並列コンデンサＣｇとの間に並列に接続され、出力側のＬＣ並列共振回路Ｑ2を構成する。そして、インダクタンスＬ1とインダクタンスＬ2との間には、相互インダクタンスＭが形成され、ＬＣ並列共振回路Ｑ1およびＱ2が磁気的に結合される。
【０１０９】
また、共振用コンデンサ電極２６ａと接地用コンデンサ電極２５ｂおよび２７ｂとの間で形成される静電容量が、容量Ｃｓ1および容量Ｃｓ2とアース端子との間で接続され、並列コンデンサＣｇを構成している。
【０１１０】
さらに、第３のインダクタ電極２４ｃおよび２８ｃが有するインダクタンスＬ3が、インダクタンスＬ1あるいはインダクタンスＬ2と接地コンデンサＣ1との間に接続されるとともに、第３のインダクタ電極２４ｃと接地用コンデンサ電極２３ａおよび２５ａとの間、および第３のインダクタ電極２８ｃと接地用コンデンサ電極２７ａおよび２９ａとの間で構成される接地コンデンサＣ1が、インダクタンスＬ3とアース端子との間に接続される。
【０１１１】
上述した第２の実施形態においても、第１の実施形態の図３に示すような、中心周波数の低周波側に２つの減衰極が生成される周波数特性が得られる。
［第３の実施形態，図５］
図５は本発明に係る積層型ＬＣフィルタの第３の実施形態を示す外観斜視図である。
【０１１２】
第３の実施形態において、特に第１の実施形態と異なる点は、第１、第２、および第３のインダクタ電極は、それぞれが誘電体シートの積み重ね方向に連接されたビアホールにより構成されるところにある。それ以外の第１の実施形態と同様の部分については説明は省略する。
【０１１３】
図５に示すように、積層型ＬＣフィルタ１０は、外層となる誘電体シート５１と、共振用コンデンサ電極５２ａ，５２ｂをそれぞれ表面に形成した誘電体シート５２と、グランド内部電極５３ａを表面に形成した誘電体シート５３と、共振用コンデンサ電極５４ａ，５４ｂ、および接地用コンデンサ電極５４ｃをそれぞれ表面に形成した誘電体シート５４と、接地用コンデンサ電極５５ａ，５５ｂをそれぞれ表面に形成した誘電体シート５５と、入力引出し電極５６ａおよび出力引出し電極５６ｂをそれぞれ表面に形成した誘電体シート５６と、複数枚の誘電体シートにそれぞれ形成したビアホールを誘電体シートの積み重ね方向に連接してなる第１、第２、および第３のインダクタ電極５７ａ，５７ｂ，５７ｃを形成した誘電体層５７と、第１、第２、および第３のインダクタ電極５７ａ，５７ｂ，５７ｃを接続する接続電極５８ａを表面に形成した誘電体シート５８と、外層となる誘電体シート５９とをこの順に積層したものからなる。
【０１１４】
共振用コンデンサ電極５２ａは、誘電体シート５２の手前側の左右方向に帯状に設けられるとともに、共振用コンデンサ電極５２ｂは、誘電体シート５２の奥側の左右方向に帯状に設けられる。よって、共振用コンデンサ電極５２ａと５２ｂは左右方向に平行に設けられている。
【０１１５】
グランド内部電極５３ａは、誘電体シート５３の中央部の前後方向に帯状に設けられ、その一端部５３ａ1は誘電体シート５３の手前側の辺に露出し、他端部５３ａ2はその奥側の辺に露出している。また、誘電体シート５３を介して共振用コンデンサ電極５２ａおよび５２ｂとそれぞれ対向している。
【０１１６】
共振用コンデンサ電極５４ａは、誘電体シート５４の左側の位置に前後方向に帯状に設けられるとともに、誘電体シート５３および５４を介して共振用コンデンサ電極５２ａおよび５２ｂとそれぞれ対向している。同様にして、共振用コンデンサ電極５４ｂは、誘電体シート５４の右側の位置に前後方向に帯状に設けられるとともに、誘電体シート５３および５４を介して共振用コンデンサ電極５２ａおよび５２ｂとそれぞれ対向している。
【０１１７】
接地用コンデンサ電極５４ｃは、誘電体シート５４の中央部の前後方向に帯状に設けられるとともに、誘電体シート５４を介してグランド内部電極５３ａと対向している。
【０１１８】
接地用コンデンサ電極５５ａは、誘電体シート５５の中央部手前側に矩形状に設けられ、その一端部５５ａ1は誘電体シート５５の手前側の辺に露出するとともに、誘電体シート５５を介して接地用コンデンサ電極５４ｃと対向している。同様にして、接地用コンデンサ電極５５ｂは、誘電体シート５５の中央部奥側に矩形状に設けられ、その一端部５５ｂ1は誘電体シート５５の奥側の辺に露出するとともに、誘電体シート５５を介して接地用コンデンサ電極５４ｃと対向している。
【０１１９】
入力引出し電極５６ａは、その一端部５６ａ1が誘電体シート５６の左側の辺に露出し、その他端部５６ａ2は、ビアホールを介して共振用コンデンサ電極５４ａと接続される。同様にして、出力引出し電極５６ｂは、その一端部５６ｂ1が誘電体シート５６の右側の辺に露出し、その他端部５６ｂ2は、ビアホールを介して共振用コンデンサ電極５４ｂと接続される。
【０１２０】
第１、第２、および第３のインダクタ電極５７ａ，５７ｂ，５７ｃは、複数枚の誘電体シートにそれぞれ形成したビアホールを誘電体シートの積み重ね方向に連接することにより、誘電体層５７に形成されたものである。なお、ビアホールを誘電体層５７に一度に貫通形成して、第１、第２、および第３のインダクタ電極５７ａ，５７ｂ，５７ｃとしてもよい。
【０１２１】
このように、インダクタ電極を誘電体シートの積み重ね方向に形成することによって、インダクタにより発生する磁界成分は、誘電体シートの積み重ね方向に直交する方向（誘電体シートの平面方向）に広がる。よって、グランド内部電極やコンデンサ電極等により、磁界が遮られることを防止することができる。
【０１２２】
第１のインダクタ電極５７ａは、積層体の側面から透視して、誘電体層５７の左側の位置に柱状に設けられ、その一端部５７ａ1は、一端部５６ａ1が誘電体シート５６の左側の辺に露出する入力引出し電極５６ａの他端部５６ａ2と別のビアホール（断面円形のビアホール）を介して接続される。同様にして、第２のインダクタ電極５７ｂは、誘電体層５７の右側の位置に柱状に設けられ、その一端部５７ｂ1は、一端部５７ｂ1が誘電体シート５６の右側の辺に露出する出力引出し電極５６ｂの他端部５６ｂ2と接続される。
【０１２３】
また、第３のインダクタ電極５７ｃは、誘電体層５７の中央部に柱状に設けられ、その一端部５７ｃ1は、接地用コンデンサ電極５４ｃと接続される。
【０１２４】
接続電極５８ａは、第１、第２、および第３のインダクタ電極５７ａ，５７ｂ，５７ｃの他端部５７ａ2，５７ｂ2，５７ｃ2を互いに接続するために形成されたものであり、誘電体シート５８の中央の左右方向に帯状に設けられている。
【０１２５】
ここで、第１、第２、第３のインダクタ電極５７ａ，５７ｂ，５７ｃ、および接続電極５８ａは、積層体の側面から透視して、接続電極５８ａの下側に第１、第２、および第３のインダクタ電極が配置されることにより、全体として略Ｅ字状に形成される。
【０１２６】
このように、インダクタ電極および接続電極を全体として略Ｅ字状に形成した場合には、中央部の第３のインダクタ電極５７ｃの長さに対する設計自由度が大きい。よって、第３のインダクタ電極５７ｃのインダクタンスが調整し易い。
【０１２７】
以上の構成からなる各誘電体シートは、この順に積み重ねられた後、一体的に焼成されて積層体とされる。
【０１２８】
次に、図１２に示すように、得られた積層体の手前側および奥側の側面にそれぞれグランド外部電極１１ａ，１１ｂが形成される。また、積層体の左側の側面および右側の側面にそれぞれ入力外部電極１２ａおよび出力外部電極１２ｂが形成される。
【０１２９】
そして、グランド外部電極１１ａには、グランド内部電極５３ａの一端部５３ａ1および接地用コンデンサ電極５５ａの一端部５５ａ1が接続され、グランド外部電極１１ｂには、グランド内部電極５３ａの他端部５３ａ2および接地用コンデンサ電極５５ｂ1が接続される。
【０１３０】
また、入力外部電極１２ａには、入力引出し電極５６ａの一端部５６ａ1が接続され、出力外部電極１２ｂには、出力引出し電極５６ｂの一端部５６ｂ1が接続される。
【０１３１】
以上に説明した積層型ＬＣフィルタ１０は、図２に示すようなバンドパスフィルタの等価回路を構成する。すなわち、第１のインダクタ電極５７ａが有するインダクタンスＬ1が、入力端子とインダクタンスＬ3との間に接続され、共振用コンデンサ電極５４ａと共振用コンデンサ電極５２ａおよび５２ｂとの間で形成される容量Ｃｓ1が、入力端子と並列コンデンサＣｇとの間に接続され、入力側のＬＣ並列共振回路Ｑ1を構成する。
【０１３２】
同様にして、第２のインダクタ電極５７ｂが有するインダクタンスＬ2が、出力端子とインダクタンスＬ3との間に接続され、共振用コンデンサ電極５４ｂと共振用コンデンサ電極５２ａおよび５２ｂとの間で形成される容量Ｃｓ2が、出力端子と並列コンデンサＣｇとの間に並列に接続され、出力側のＬＣ並列共振回路Ｑ2を構成する。そして、インダクタンスＬ1とインダクタンスＬ2との間には、相互インダクタンスＭが形成され、ＬＣ並列共振回路Ｑ1およびＱ2が磁気的に結合される。
【０１３３】
また、共振用コンデンサ電極５２ａおよび５２ｂとグランド内部電極５３ａとの間で形成される静電容量が、容量Ｃｓ1および容量Ｃｓ2とアース端子との間に並列に接続され、並列コンデンサＣｇを構成している。
【０１３４】
さらに、第３のインダクタ電極５７ｃが有するインダクタンスＬ3が、インダクタンスＬ1あるいはインダクタンスＬ2と接地コンデンサＣ1との間に接続されるとともに、接地用コンデンサ電極５４ｃと接地用コンデンサ電極５５ａとの間、および接地用コンデンサ電極５４ｃと接地用コンデンサ電極５５ｂとの間で構成される接地コンデンサＣ1が、インダクタンスＬ3とアース端子との間に直列に接続される。
【０１３５】
上述した第３の実施形態においても、第１の実施形態の図３に示すような、中心周波数の低周波側に２つの減衰極が生成される周波数特性が得られる。
［第４の実施形態，図６，図７］
図６は本発明に係る積層型ＬＣフィルタの第４の実施形態を示す外観斜視図、図７は同等価回路図である。
【０１３６】
第４の実施形態において、特に第１の実施形態と異なる点は、第１、第２、および第３のインダクタ電極は、それぞれが誘電体シートの積み重ね方向に連接されたビアホールにより構成されるところにある。それ以外の第１の実施形態と同様の部分については説明は省略する。
【０１３７】
図６に示すように、積層型ＬＣフィルタ１０は、外層となる誘電体シート６１と、グランド内部電極６２ａ，６２ｂを表面に形成した誘電体シート６２と、共振用コンデンサ電極６３ａ，６３ｂをそれぞれ表面に形成した誘電体シート６３と、共振用コンデンサ電極６４ａ，６４ｂをそれぞれ表面に形成した誘電体シート６４と、入力引出し電極６５ａおよび出力引出し電極６５ｂをそれぞれ表面に形成した誘電体シート６５と、複数枚の誘電体シートにそれぞれ形成したビアホールを誘電体シートの積み重ね方向に連接してなる第１および第２のインダクタ電極６６ａ，６６ｂを形成した誘電体層６６と、第１、第２、および第３のインダクタ電極６６ａ，６６ｂ，６８ａを接続する接続電極６７ａを表面に形成した誘電体シート６７と、複数枚の誘電体シートにそれぞれ形成したビアホールを誘電体シートの積み重ね方向に連接してなる第３のインダクタ電極６８ａを形成した誘電体層６８と、接地用コンデンサ電極６９ａを表面に形成した誘電体シート６９と、グランド内部電極７０ａを表面に形成した誘電体シート７０と、外層となる誘電体シート７１とをこの順に積層したものからなる。
【０１３８】
グランド内部電極６２ａは、誘電体シート６２の左側の前後方向に帯状に設けられ、その一端部６２ａ1は誘電体シート６２の手前側の辺に露出し、他端部６２ａ2はその奥側の辺に露出している。同様にして、グランド内部電極６２ｂは、誘電体シート６２の右側の前後方向に帯状に設けられ、その一端部６２ｂ1は誘電体シート６２の手前側の辺に露出し、他端部６２ｂ2はその奥側の辺に露出している。
【０１３９】
共振用コンデンサ電極６３ａは、誘電体シート６３の左側の位置に前後方向に帯状に設けられるとともに、誘電体シート６３を介してグランド内部電極６２ａと対向している。同様にして、共振用コンデンサ電極６３ｂは、誘電体シート６３の右側の位置に前後方向に帯状に設けられるとともに、誘電体シート６３を介してグランド内部電極６２ｂと対向している。
【０１４０】
共振用コンデンサ電極６４ａは、誘電体シート６４の手前側の左右方向に帯状に設けられるとともに、共振用コンデンサ電極６４ｂは、誘電体シート６４の奥側の左右方向に帯状に設けられることにより、互いに平行に設けられている。また、共振用コンデンサ電極６４ａは、誘電体シート６４を介して共振用コンデンサ電極６３ａおよび６３ｂと両端部でそれぞれ対向し、共振用コンデンサ電極６４ｂは、誘電体シート６４を介して共振用コンデンサ電極６３ａおよび６３ｂと両端部でそれぞれ対向している。
【０１４１】
入力引出し電極６５ａは、その一端部６５ａ1が誘電体シート６５の左側の辺に露出し、その他端部６５ａ2は、下側に形成されたビアホールを介して共振用コンデンサ電極６３ａと接続される。同様にして、出力引出し電極６５ｂは、その一端部６５ｂ1が誘電体シート６５の右側の辺に露出し、その他端部６５ｂ2は、下側に形成されたビアホールを介して共振用コンデンサ電極６３ｂと接続される。
【０１４２】
第１、第２、および第３のインダクタ電極６６ａ，６６ｂ，６８ａは、複数枚の誘電体シートにそれぞれ形成したビアホールを誘電体シートの積み重ね方向に連接することにより、誘電体層６６および誘電体層６８に形成されたものである。誘電体層６８は誘電体層６６よりも薄く形成され、第３のインダクタ電極６８ａは、第１および第２のインダクタ電極６６ａ，６６ｂよりも短く形成される。
【０１４３】
第１のインダクタ電極６６ａは、積層体の側面から透視して、誘電体層６６の左側の位置に柱状に設けられ、その一端部６６ａ1は、別のビアホール（断面円形のビアホール）を介して入力引出し電極６５ａの他端部６５ａ2と接続される。同様にして、第２のインダクタ電極６６ｂは、誘電体層６６の右側の位置に柱状に設けられ、その一端部６６ｂ1は、別のビアホール（断面円形のビアホール）を介して出力引出し電極６５ｂと接続される。また、第３のインダクタ電極６８ａは、誘電体層６８の中央部に柱状に設けられる。
【０１４４】
接続電極６７ａは、第１、第２、および第３のインダクタ電極６６ａ，６６ｂ，６８ａを互いに接続するために形成されたものであり、誘電体シート６７の中央部の左右方向に帯状に設けられる。接続電極６７ａの一端部６７ａ1は、第１のインダクタ電極６６ａの他端部６６ａ2と接続され、他端部６７ａ２は、第２のインダクタ電極６６ｂの他端部６６ｂ2と接続される。また、中間部６７ａ3は、第３のインダクタ電極６８ａの一端部６８ａ1と接続される。
【０１４５】
ここで、第１、第２、第３のインダクタ電極６６ａ，６６ｂ，６８ａ、および接続電極６７ａは、積層体の側面から透視して、第１および第２のインダクタ電極６６ａ，６６ｂが、接続電極６７ａの下側に配置されるとともに、第３のインダクタ電極６８ａが接続電極６７ａの上側に配置されることにより、全体として略Ｙ字状に形成される。
【０１４６】
このように、インダクタ電極および接続電極を全体として略Ｙ字状に形成した場合には、中央部の第３のインダクタ電極６８ａの幅（ビアホールの径）に対する設計自由度が大きい。よって、第３のインダクタ電極６８ａのインダクタンスが調整し易い。
【０１４７】
接地用コンデンサ電極６９ａは、誘電体シート６９の中央部の前後方向に帯状に設けられ、第３のインダクタ電極６８ａの他端部６８ａ2と接続される。
【０１４８】
グランド内部電極７０ａは、誘電体シート７０の左右端部を除く略表面全面に設けられており、その一端部７０ａ1は誘電体シート７０の手前側の辺に露出し、他端部７０ａ2はその奥側の辺に露出するとともに、誘電体シート７０を介して接地用コンデンサ電極６９ａと対向している。
【０１４９】
以上の構成からなる各誘電体シートは、この順に積み重ねられた後、一体的に焼成されて積層体とされる。
【０１５０】
次に、図１２に示すように、得られた積層体の手前側および奥側の側面にそれぞれグランド外部電極１１ａ，１１ｂが形成される。また、積層体の左側の側面および右側の側面にそれぞれ入力外部電極１２ａおよび出力外部電極１２ｂが形成される。
【０１５１】
そして、グランド外部電極１１ａには、グランド内部電極６２ａ，６２ｂの一端部６２ａ1，６２ｂ1およびグランド内部電極７０ａの一端部７０ａ1が接続され、グランド外部電極１１ｂには、グランド内部電極６２ａ，６２ｂの他端部６２ａ2，６２ｂ2およびグランド内部電極７０ａの他端部７０ａ2が接続される。
【０１５２】
また、入力外部電極１２ａには、入力引出し電極６５ａの一端部６５ａ1が接続され、出力外部電極１２ｂには、出力引出し電極６５ｂの一端部６５ｂ1が接続される。
【０１５３】
以上に説明した積層型ＬＣフィルタ１０は、図７に示すようなバンドパスフィルタの等価回路を構成する。なお、図７は図２の等価回路におけるＣｓ1，Ｃｓ2，Ｃｇからなる回路をＹ−Δ変換して、図７のＣｓ，Ｃｇ1，Ｃｇ2としたものである。
【０１５４】
すなわち、第１のインダクタ電極６６ａが有するインダクタンスＬ1が、入力端子とインダクタンスＬ3との間に接続され、共振用コンデンサ電極６３ａ，６３ｂと共振用コンデンサ電極６４ａ，６４ｂとの間で形成される容量Ｃｓが、並列コンデンサＣｇ1と並列コンデンサＣｇ2との間に接続されることにより、入力側のＬＣ並列共振回路Ｑ1を構成する。
【０１５５】
同様にして、第２のインダクタ電極６６ｂが有するインダクタンスＬ2が、出力端子とインダクタンスＬ3との間に接続され、共振用コンデンサ電極６３ａ，６３ｂと共振用コンデンサ電極６４ａ，６４ｂとの間で形成される容量Ｃｓが、並列コンデンサＣｇ1と並列コンデンサＣｇ2との間に接続されることにより、出力側のＬＣ並列共振回路Ｑ2を構成する。そして、インダクタンスＬ1とインダクタンスＬ2との間には、相互インダクタンスＭが形成され、ＬＣ並列共振回路Ｑ1およびＱ2が磁気的に結合される。
【０１５６】
また、共振用コンデンサ電極６３ａとグランド内部電極６２ａとの間で形成される静電容量が、入力端子と容量Ｃｓとの間に接続され、並列コンデンサＣｇ1を構成するとともに、共振用コンデンサ電極６３ｂとグランド内部電極６２ｂとの間で形成される静電容量が、出力端子と容量Ｃｓとの間に接続され、並列コンデンサＣｇ2を構成している。
【０１５７】
さらに、第３のインダクタ電極６８ａが有するインダクタンスＬ3が、インダクタンスＬ1あるいはインダクタンスＬ2と接地コンデンサＣ1との間に接続されるとともに、接地用コンデンサ電極６９ａとグランド内部電極７０ａとの間で構成される接地コンデンサＣ1が、インダクタンスＬ3とアース端子との間に接続される。
【０１５８】
上述した第４の実施形態においても、第１の実施形態の図３に示すような、中心周波数の低周波側に２つの減衰極が生成される周波数特性が得られる。
［第５実施形態，図８，図９］
図８は本発明に係る積層型ＬＣフィルタの第５の実施形態を示す分解斜視図、図９は同外観斜視図である。
【０１５９】
第５の実施形態において、特に第１の実施形態と異なる点は、第１および第２のインダクタ電極と第３のインダクタ電極とを、中継電極を介して接続したところにある。それ以外の第１の実施形態と同様の部分については説明は省略する。
【０１６０】
図８に示すように、積層型ＬＣフィルタ１０は、外層となる誘電体シート８１と、接地用コンデンサ電極８２ａを表面に形成した誘電体シート８２と、第３のインダクタ電極８３ａを表面に形成した誘電体シート８３と、接地用コンデンサ電極８４ａを表面に形成した誘電体シート８４と、第３のインダクタ電極８５ａを表面に形成した誘電体シート８５と、厚み調整用の誘電体シート８６と、第１のインダクタ電極８７ａおよび入力引出し電極８７ｂをそれぞれ表面に形成した誘電体シート８７と、接地用コンデンサ電極８８ａを表面に形成した誘電体シート８８と、共振用コンデンサ電極８９ａを表面に形成した誘電体シート８９と、接地用コンデンサ電極９０ａを表面に形成した誘電体シート９０と、第２のインダクタ電極９１ａおよび出力引出し電極９１ｂをそれぞれ表面に形成した誘電体シート９１と、厚み調整用の誘電体シート９２と、グランド内部電極９３ａを表面に形成した誘電体シート９３と、外層となる誘電体シート９４とをこの順に積層したものからなる。
【０１６１】
接地用コンデンサ電極８２ａは、誘電体シート８２の中央部奥側に矩形状に設けられ、その一端部８２ａ1は誘電体シート８２の奥側の辺に露出している。
【０１６２】
第３のインダクタ電極８３ａは、誘電体シート８３の中央部の前後方向に設けられ、その一端部８３ａ1は誘電体シート８３の手前側の辺に露出している。また、その他端部８３ａ2は、一端部８３ａ1より幅広とされ、誘電体シート８３を介して接地用コンデンサ電極８２ａと対向している。
【０１６３】
接地用コンデンサ電極８４ａは、誘電体シート８４の中央部奥側に矩形状に設けられ、その一端部８４ａ1は誘電体シート８４の奥側の辺に露出している。また、誘電体シート８４を介して第３のインダクタ電極８３ａと対向している。
【０１６４】
第３のインダクタ電極８５ａは、誘電体シート８５の中央部の前後方向に設けられ、その一端部８５ａ1は誘電体シート８５の手前側の辺に露出している。また、その他端部８５ａ2は、一端部８５ａ1より幅広とされ、誘電体シート８５を介して接地用コンデンサ電極８４ａと対向している。
【０１６５】
誘電体シート８６は、第１のインダクタ電極８７ａと第３のインダクタ電極８５ａとの電磁気的干渉を抑えるための厚み調整用シートである。この誘電体シート８６は、他の誘電体シートよりも厚く形成される。
【０１６６】
第１のインダクタ電極８７ａは、誘電体シート８７の左側の位置に前後方向に略Ｌ字状に設けられ、その中間部８７ａ1は、一端部８７ｂ1が誘電体シート８７の左側の辺に露出する入力引出し電極８７ｂの他端部８７ｂ2と接続されるとともに、その一端部８７ａ2は誘電体シート８７の手前側の辺に露出している。
【０１６７】
接地用コンデンサ電極８８ａは、誘電体シート８８の中央部奥側に矩形状に設けられ、その一端部８８ａ1は誘電体シート８８の奥側の辺に露出している。
【０１６８】
共振用コンデンサ電極８９ａは、誘電体シート８９の奥側の左右方向に帯状に設けられ、その一端部８９ａ1は、誘電体シート８８および８９を介して第１のインダクタ電極８７ａと対向している。また、その中間部８９ａ3は、誘電体シート８９を介して接地用コンデンサ電極８８ａと対向している。
【０１６９】
接地用コンデンサ電極９０ａは、誘電体シート９０の中央部の奥側に矩形状に設けられ、その一端部９０ａ1は誘電体シート９０の奥側の辺に露出し、誘電体シート９０を介して共振用コンデンサ電極８９ａの中間部８９ａ3と対向している。
【０１７０】
第２のインダクタ電極９１ａは、誘電体シート９１の右側の前後方向に略逆Ｌ字状に設けられ、その中間部９１ａ1は、一端部９１ｂ1が誘電体シート９１の右側の辺に露出する出力引出し電極９１ｂの他端部９１ｂ2と接続されるとともに、その一端部９１ａ2は誘電体シート９１の手前側の辺に露出している。
【０１７１】
誘電体シート９２は、第２のインダクタ電極９１ａとグランド内部電極９３ａとの電磁気的干渉を抑えるための厚み調整用シートである。この誘電体シート９２は他の誘電体シートよりも厚く形成される。
【０１７２】
グランド内部電極９３ａは、誘電体シート９３の左右端部を除く略表面全面に設けられており、その一端部９３ａ1は誘電体シート９３の手前側の辺に露出し、他端部９３ａ2はその奥側の辺に露出している。
【０１７３】
以上の構成からなる各誘電体シートは、この順に積み重ねられた後、一体的に焼成されて積層体とされる。
【０１７４】
次に、図９に示すように、得られた積層体の手前側および奥側の側面にそれぞれグランド外部電極９５ａ，９５ｂ，９５ｃが設けられるとともに、グランド外部電極９５ａ，９５ｂの間に中継電極９６が設けられる。グランド外部電極９５ａは、手前側の側面の左側にやや幅広に設けられ、グランド外部電極９５ｂは、手前側の側面の右側にやや幅広の帯状に設けられ、中継電極９６は、グランド外部電極９５ａ，９５ｂよりも幅が狭い帯状に設けられる。また、グランド外部電極９５ｃは、奥側の側面の両端部を除いてほぼ全面にベタ電極として形成される。
【０１７５】
また、積層体の左側の側面および右側の側面にそれぞれ入力外部電極９７ａおよび出力外部電極９７ｂが設けられる。
【０１７６】
そして、グランド外部電極９５ａ，９５ｂには、グランド内部電極９３ａの一端部９３ａ1が接続され、グランド外部電極９５ｃには、接地用コンデンサ電極８２ａ，８４ａ，８８ａ，９０ａの一端部８２ａ1，８４ａ1，８８ａ1，９０ａ1、およびグランド内部電極９３ａの他端部９３ａ2がそれぞれ接続される。
【０１７７】
また、中継電極９６には、第３のインダクタ電極８３ａ，８５ａの一端部８３ａ1，８５ａ1、第１のインダクタ電極８７ａの一端部８７ａ2，第２のインダクタ電極９１ａの一端部９１ａ2、およびグランド内部電極９３ａの一端部９３ａ1が接続される。
【０１７８】
さらに、入力外部電極９７ａには、入力引出し電極８７ｂの一端部８７ｂ1が接続され、出力外部電極９７ｂには、出力引出し電極９１ｂの一端部９１ｂ1が接続される。
【０１７９】
ここで、本実施形態においては、第１のインダクタ電極８７ａ，第２のインダクタ電極９１ａ，および第３のインダクタ電極８３ａ，８５ａが、それぞれ別の誘電体シート上に設けられる。そして、第１および第２のインダクタ電極８７ａ，９１ａの各一端部８７ａ2，９１ａ2と、第３のインダクタ電極８３ａ，８５ａの一端部８３ａ1，８５ａ1がそれぞれ誘電体シートの手前側の辺に露出することで、積層体の手前側の側面に設けられた中継電極９６と接続される。
【０１８０】
したがって、第１、第２、および第３のインダクタ電極のそれぞれのインダクタ電極の長さおよび幅に対する設計自由度が大きく、第１および第２のインダクタ電極の設計がし易くなるとともに、第３のインダクタ電極のインダクタンスや、第３のインダクタ電極と対向する接地用コンデンサ電極との静電容量が調整し易い。よって、ＬＣ共振器の磁気結合の調整および中心周波数や減衰極の位置の調整がし易い。
【０１８１】
以上に説明した積層型ＬＣフィルタ１０は、図２に示すようなバンドパスフィルタの等価回路を構成する。すなわち、第１のインダクタ電極８７ａが有するインダクタンスＬ1が、入力端子とインダクタンスＬ3との間に接続され、共振用コンデンサ電極８９ａと第１のインダクタ電極８７ａとの間に形成される容量Ｃｓ1が、入力端子と並列コンデンサＣｇとの間に接続され、入力側のＬＣ並列共振回路Ｑ1を構成する。
【０１８２】
同様にして、第２のインダクタ電極９１ａが有するインダクタンスＬ2が、出力端子とインダクタンスＬ3との間に接続され、共振用コンデンサ電極８９ａと第２のインダクタ電極９１ａとの間に形成される容量Ｃｓ2が、出力端子と並列コンデンサＣｇとの間に接続され、出力側のＬＣ並列共振回路Ｑ2を構成する。そして、インダクタンスＬ1とインダクタンスＬ2との間には、相互インダクタンスＭが形成され、ＬＣ並列共振回路Ｑ1およびＱ2が磁気的に結合される。
【０１８３】
また、共振用コンデンサ電極８９ａと接地用コンデンサ電極８８ａおよび９０ａとの間で形成される静電容量が、容量Ｃｓ1および容量Ｃｓ2とアース端子との間に接続され、並列コンデンサＣｇを構成している。
【０１８４】
さらに、第３のインダクタ電極８３ａおよび８５ａが有するインダクタンスＬ3が、インダクタンスＬ1あるいはインダクタンスＬ2と接地コンデンサＣ1との間に接続されるとともに、第３のインダクタ電極８３ａと接地用コンデンサ電極８２ａおよび８４ａとの間、および第３のインダクタ電極８５ａと接地用コンデンサ電極８４ａとの間で構成される接地コンデンサＣ1が、インダクタンスＬ3とアース端子との間に直列に接続される。
【０１８５】
上述した第５の実施形態においても、第１の実施形態の図３に示すような、中心周波数の低周波側に２つの減衰極が生成される周波数特性が得られる。
［第６実施形態，図１０］
図１０は本発明に係る積層型ＬＣフィルタの第６の実施形態を示す分解斜視図である。
【０１８６】
第６の実施形態において、特に第５の実施形態と異なる点は、第１のインダクタ電極と第２のインダクタ電極を同じ誘電体シート上に形成したところにある。それ以外は第５の実施形態と同様であるので説明は省略する。
【０１８７】
第１のインダクタ電極１０１ａは、誘電体シート１０１の左側の前後方向に略Ｌ字状に設けられ、その中間部１０１ａ1は、一端部１０１ｃ1が誘電体シート１０１の左側の辺に露出する入力引出し電極１０１ｃの他端部１０１ｃ2と接続される。また、第２のインダクタ電極１０１ｂは、誘電体シート１０１の右側の前後方向に略逆Ｌ字状に設けられ、その中間部１０１ｂ1は、その一端部１０１ｄ1が誘電体シート１０１の右側の辺に露出する出力引出し電極１０１ｄの他端部１０１ｄ2と接続される。
【０１８８】
そして、第１のインダクタ電極１０１ａと第２のインダクタ電極１０１ｂは、それぞれの他端部１０１ａ2と他端部１０１ｂ2との合流部１０１ｅで互いに接続される。この合流部１０１ｅは、誘電体シート１０１の中央部手前側に設けられ、その一端部１０１ｅ1は誘電体シート１０１の手前側の辺に露出している。
【０１８９】
次に、第１のインダクタ電極１０２ａは、誘電体シート１０２の左側の前後方向に略Ｌ字状に設けられ、その中間部１０２ａ1は、一端部１０２ｃ1が誘電体シート１０２の左側の辺に露出する入力引出し電極１０２ｃの他端部１０２ｃ2と接続される。また、第２のインダクタ電極１０２ｂは、誘電体シート１０２の右側の前後方向に略逆Ｌ字状に設けられ、その中間部１０２ｂ1は、一端部１０２ｄ1が誘電体シート１０２の右側の辺に露出する出力引出し電極１０２ｄの他端部１０２ｄ2と接続される。
【０１９０】
そして、第１のインダクタ電極１０２ａと第２のインダクタ電極１０２ｂは、それぞれの他端部１０２ａ2と１０２ｂ2との合流部１０２ｅで互いに接続される。この合流部１０２ｅは、誘電体シート１０２の中央部手前側に設けられ、その一端部１０２ｅ1は誘電体シート１０２の手前側の辺に露出している。
【０１９１】
以上の構成からなる各誘電体シートは、この順に積み重ねられた後、一体的に焼成されて積層体とされる。
【０１９２】
次に、図９に示すように、得られた積層体の手前側および奥側の側面にそれぞれグランド外部電極９５ａ，９５ｂ，９５ｃが設けられるとともに、グランド外部電極９５ａ，９５ｂの間に中継電極９６が設けられる。グランド外部電極９５ａは、手前側の側面の左側にやや幅広に設けられ、グランド外部電極９５ｂは、手前側の側面の右側にやや幅広の帯状に設けられ、中継電極９６は、グランド外部電極９５ａ，９５ｂよりも幅が狭い帯状に設けられる。また、グランド外部電極９５ｃは、奥側の側面の両端部を除いてほぼ全面にベタ電極として形成される。
【０１９３】
また、積層体の左側の側面および右側の側面にそれぞれ入力外部電極９７ａおよび出力外部電極９７ｂが設けられる。
【０１９４】
中継電極９６には、第３のインダクタ電極８３ａ，８５ａの一端部８３ａ1，８５ａ1、接続部１０１ｅ，１０２ｅの一端部１０１ｅ１，１０２ｅ１、およびグランド内部電極９３ａの一端部９３ａ1が接続される。
【０１９５】
入力外部電極９７ａには、入力引出し電極１０１ｃの一端部１０１ｃ1が接続され、出力外部電極９７ｂには、出力引出し電極１０１ｄの一端部１０１ｄ1が接続される。
【０１９６】
ここで、本実施形態においては、第１のインダクタ電極１０１ａ（１０２ａ）と第２のインダクタ電極１０１ｂ（１０２ｂ）がそれぞれ同じ誘電体シート上に設けられる。そして、第１および第２のインダクタ電極の各一端部１０１ａ2（１０２ａ2），１０１ｂ2（１０２ｂ2）が接続される合流部の一端部１０１ｅ1（１０２ｅ1）が誘電体シート１０１（１０２）の手前側の辺に露出することで、積層体側面の中央部手前側に設けられた中継電極９６と接続される。
【０１９７】
したがって、第１および第２のインダクタ電極のインダクタ電極の長さおよび幅に対する設計自由度が大きく、第１および第２のインダクタ電極の設計がし易くなる。よって、ＬＣ共振器の磁気結合の調整が容易にできる。
【０１９８】
以上に説明した積層型ＬＣフィルタ１０は、図２に示すようなバンドパスフィルタの等価回路を構成する。すなわち、第１のインダクタ電極１０１ａおよび１０２ａが有するインダクタンスＬ1が、入力端子とインダクタンスＬ3との間に接続され、共振用コンデンサ電極８９ａと第１のインダクタ電極１０１ａおよび１０２ａとの間に形成される容量Ｃｓ1が、入力端子と並列コンデンサＣｇとの間に接続され、入力側のＬＣ並列共振回路Ｑ1を構成する。
【０１９９】
同様にして、第２のインダクタ電極１０１ｂおよび１０２ｂが有するインダクタンスＬ2が、出力端子とインダクタンスＬ3との間に接続され、共振用コンデンサ電極８９ａと第２のインダクタ電極１０１ｂおよび１０２ｂとの間に形成される容量Ｃｓ2が、出力端子とインダクタンスＬ3との間に接続され、出力側のＬＣ並列共振回路Ｑ2を構成する。そして、インダクタンスＬ1とインダクタンスＬ2との間には、相互インダクタンスＭが形成され、ＬＣ並列共振回路Ｑ1およびＱ2が磁気的に結合される。
【０２００】
また、共振用コンデンサ電極８９ａと接地用コンデンサ電極８８ａおよび９０ａとの間で形成される静電容量が、容量Ｃｓ1および容量Ｃｓ2とアース端子との間に接続され、並列コンデンサＣｇを構成している。
【０２０１】
さらに、第３のインダクタ電極８３ａおよび８５ａが有するインダクタンスＬ3が、入力端子あるいは出力端子とアース端子との間に直列に接続されるとともに、第３のインダクタ電極８３ａと接地用コンデンサ電極８２ａおよび８４ａとの間、および第３のインダクタ電極８５ａと接地用コンデンサ電極８４ａとの間で構成される接地コンデンサＣ1が、インダクタンスＬ3とアース端子との間に接続される。
【０２０２】
上述した第６の実施形態においても、第１の実施形態の図３に示すような、中心周波数の低周波側に２つの減衰極が生成される周波数特性が得られる。
【０２０３】
【発明の効果】
以上のように、本発明によれば、ＬＣ共振器を構成する第１のインダクタ電極および第２のインダクタ電極が第３のインダクタ電極に接続され、かつ、その第３のインダクタ電極が接地用コンデンサ電極を介して接地されることにより、入出力端子とＬＣ並列共振回路との間にコンデンサを挟まずに、インダクタ電極と入出力引出し電極を直接接続しても、中心周波数の低周波側に減衰極が２つ形成することができる。
【０２０４】
したがって、損失を低減するとともに、急峻な周波数特性を得ることが可能となる。
【図面の簡単な説明】
【図１】    本発明に係る積層型ＬＣフィルタの第１の実施形態を示す分解斜視図。
【図２】    図１に示した積層型ＬＣフィルタの等価回路図。
【図３】    図１に示した積層型ＬＣフィルタの周波数特性を示す図。
【図４】    本発明に係る積層型ＬＣフィルタの第２の実施形態を示す分解斜視図。
【図５】    本発明に係る積層型ＬＣフィルタの第３の実施形態を示す分解斜視図。
【図６】    本発明に係る積層型ＬＣフィルタの第４の実施形態を示す分解斜視図。
【図７】    図６に示した積層型ＬＣフィルタの等価回路図。
【図８】    本発明に係る積層型ＬＣフィルタの第５の実施形態を示す分解斜視図。
【図９】    図８に示した積層型ＬＣフィルタの外観斜視図である。
【図１０】  本発明に係る積層型ＬＣフィルタの第６の実施形態を示す分解斜視図。
【図１１】  従来の積層型ＬＣフィルタを示す分解斜視図。
【図１２】  図１１に示した積層型ＬＣフィルタの外観斜視図。
【図１３】  図１１に示した積層型ＬＣフィルタの等価回路図。
【図１４】  図１１に示した積層型ＬＣフィルタの周波数特性を示す図。
【図１５】  従来の他の積層型ＬＣフィルタを示す分解斜視図。
【図１６】  図１５に示した積層型ＬＣフィルタの等価回路図。
【図１７】  図１５に示した積層型ＬＣフィルタの周波数特性を示す図。
【符号の説明】
10      積層型ＬＣフィルタ
1,2,3,,7,8,9,16,17,18,19,20,21,22,23,24,25,26,27,28,29,51,52,53,54,55,56,57,58,59,61,62,63,64,65,66,67,68,69,70,71,81,82,83,84,85,86,87,88,89,90,91,92,93,94,101,102      誘電体シート
2a,8a,53a,62a,62b,70a,93a      グランド内部電極
16a,18a,20a,22a,23a,25a,25b,27a,27b,29a,54c,55a,55b,69a,82a,84a,88a,90a 接地用コンデンサ電極
17a,21a,24a,28a,57a,66a,87a,101a,102a      第１のインダクタ電極
17b,21b,24b,28b,57b,66b,91a,101b,102b      第２のインダクタ電極
17c,21c,24c,28c,57c,68a,83a,85a      第３のインダクタ電極
17d,21d,24d,28d,56a,65a,87b,101c,102c      入力引出し電極
17e,21e,24e,28e,56b,65b,91b,101d,102d      出力引出し電極
19a,26a,52a，52b,54a,54b,63a,63b,64a,64b,89a      共振用コンデンサ電極
58a,67a      接続電極
96          中継電極
【図１】
0004759812.tif 000002
【図２】
0004759812.tif 000003
【図３】
0004759812.tif 000004
【図４】
0004759812.tif 000005
【図５】
0004759812.tif 000006
【図６】
0004759812.tif 000007
【図７】
0004759812.tif 000008
【図８】
0004759812.tif 000009
【図９】
0004759812.tif 000010
【図１０】
0004759812.tif 000011
【図１１】
0004759812.tif 000012
【図１２】
0004759812.tif 000013
【図１３】
0004759812.tif 000014
【図１４】
0004759812.tif 000015
【図１５】
0004759812.tif 000016
【図１６】
0004759812.tif 000017
【図１７】
0004759812.tif 000018